(57)【要約】【課題】被取付物（携帯品収納具など）を取り付けたことを衣服の外観からは判別不能で、被取付物を取り付けた際に身体に痛みを与えず、着脱が容易な衣服を提供する。【解決手段】ブルゾン１には携帯品収納具として肩固定式拳銃入２が取り付けられている。肩固定式拳銃入２をブルゾン１に取り付けるには、まず吊バンド４と固定バンド１６とをホック５ａ，５ｂにて互いに係止する。次に、ベルト固定バンド７をバンド固定布１７に設けたバンド通し１８にくぐらせて掛け、ベルト固定バンド７の自由端部と肩固定式拳銃入２とをボタン８ａ，８ｂにて互いに係止する。続いて、アジャスタアタッチメント６ａにて吊バンド４を適度な長さに調節し、アジャスタアタッチメント６ｂにて固定バンド１６を適度の長さに調節する。【選択図】　図１
2004068245.tif 000002
【特許請求の範囲】
【請求項１】
衣服の裏側に被取付物を取り付けるための取付手段を備えたことを特徴とする衣服。
【請求項２】
請求項１に記載の衣服において、
　前記取付手段は、衣服裏側の右肩，左肩，左右両肩のいずれかの肩部分に設けられた第１の取付部材を備えたことを特徴とする衣服。
【請求項３】
請求項１に記載の衣服において、
　前記取付手段は、
　衣服裏側の右肩，左肩，左右両肩のいずれかの肩部分に設けられた第１の取付部材と、
　衣服裏側における前記第１の取付部材に対応する裾部分に設けられた第２の取付部材とを備えたことを特徴とする衣服。
【請求項４】
請求項１に記載の衣服において、
　前記取付手段は、衣服裏側の右襟，左襟，左右両襟のいずれかの襟部分に設けられた第１の取付部材を備えたことを特徴とする衣服。
【請求項５】
請求項１に記載の衣服において、
　前記取付手段は、
　衣服裏側の右襟，左襟，左右両襟のいずれかの襟部分に設けられた第１の取付部材と、
　衣服裏側における前記第１の取付部材に対応する裾部分に設けられた第２の取付部材とを備えたことを特徴とする衣服。
【請求項６】
請求項２〜５のいずれか一項に記載の衣服において、
　前記第１の取付部材は、被取付物に設けられた被係止具と係止されることにより被取付物と係止される係止具を備えたことを特徴とする衣服。
【請求項７】
請求項２〜６のいずれか１項に記載の衣服において、
　前記第１の取付部材は、被取付物の位置を調整するための位置調整手段を備えたことを特徴とする衣服。
【請求項８】
請求項２または請求項３に記載の衣服において、
　前記第１の取付部材は、被取付物に設けられたバンドが挿通される第１のバンド通しを備えたことを特徴とする衣服。
【請求項９】
請求項２，３，６〜８のいずれか１項に記載の衣服において、
　前記第１の取付部材は、衣服の肩部分に設けられた肩当に取り付けられたことを特徴とする衣服。
【請求項１０】
請求項９に記載の衣服において、
　前記肩当は、衣服の肩部分を補強するための補強布を用いて衣服の肩部分に取り付けられたことを特徴とする衣服。
【請求項１１】
請求項４〜７のいずれか１項に記載の衣服において、
　前記第１の取付部材は、衣服の襟部分に設けられた首掛バンドに取り付けられたことを特徴とする衣服。
【請求項１２】
請求項１１に記載の衣服において、
　前記首掛バンドは、衣服の襟部分を補強するための補強布を用いて衣服の襟部分に取り付けられたことを特徴とする衣服。
【請求項１３】
請求項３または請求項５に記載の衣服において、
　前記第２の取付部材は、被取付物に設けられたバンドが潜り掛けられる第２のバンド通しを備えたことを特徴とする衣服。
【発明の詳細な説明】
【技術分野】
【０００１】
　本発明は衣服に係り、詳しくは、携帯品収納具やベストなどの被取付物を取り付けることが可能な衣服に関するものである。
【背景技術】
【０００２】
　従来より、身体に着用する形式の被取付物である携帯品収納具が種々提案されている。
　そのような携帯品収納具の代表的な例としては、肩掛式拳銃入がある。図２９は従来の肩掛式拳銃入１０１を着用した様子を示す説明図であり、図２９（ａ）は正面からみた様子を示し、図２９（ｂ）は後面から見た様子を示す。肩掛式拳銃入１０１は、拳銃ホルダ１０２、肩掛バンド１０３、胴体バンド１０４、固定バンド１０５から構成されている。肩掛バンド１０３の両端部は拳銃ホルダ１０２の上端部から延設されている。胴体バンド１０４は拳銃ホルダ１０２の正面から見て右側方から延設され、胴体バンド１０４の自由端部と肩掛バンド１０３とはホック１０７にて互いに係止されている。固定バンド１０５は拳銃ホルダ１０２の下端部から延設され、固定バンド１０５の自由端部には拳銃ホルダ１０２の下端部と互いに係止するためのボタン１０８が設けられている。
【０００３】
　肩掛式拳銃入１０１の着用手順は次のようになる。まず、ワイシャツ１００を着用し、肩掛バンド１０３を左肩に掛ける。次に、胴体バンド１０４を胴体後方から右脇下へ回し、さらに右肩上部から首後部へ回した後、ホック１０７にて肩掛バンド１０３と互いに係止する。そして、固定バンド１０５をスラックス１０９に取り付けられたベルト１０６の内側から外側へ回し、固定バンド１０５の自由端部と拳銃ホルダの下端部とをボタン１０８にて係止する。上着の着用は、肩掛式拳銃入１０１を着用した後に行う。また、肩掛式拳銃入１０１は上着に隠れるため、上着の着用後に外観からは肩掛式拳銃入１０１を着用したことはわからない。
【発明の開示】
【発明が解決しようとする課題】
【０００４】
　以上述べた従来の肩掛式拳銃入１０１には次のような不都合があった。第１に、着用に時間を要すること。このため、急な外出や業務における緊急出動時等への対応に遅れをきたすことがあった。第２に、身体の動き易さを得るため、右肩に回した胴体バンド１０４の幅は、左肩の肩掛バンド１０３の幅と比べて狭く作られていること。このため、拳銃を拳銃ホルダ１０２に収納した場合、右肩は胴体バンド１０４が有する狭い面積で拳銃の重みを支えなければならず、着用時に痛みを感じることがあった。この痛みを軽減するために着用者個人でバンドのまわりに包帯を巻くなどの対応を行っていた。
【０００５】
　本発明は上記問題点を解決するためになされたものであって、その目的は、被取付物を取り付けたことを衣服の外観からは判別不能で、着脱が容易な衣服を提供することにある。また、本発明の別の目的は、前記目的に加えて、被取付物を取り付けた際に着用者は身体に痛みを感じない衣服を提供することにある。
【課題を解決するための手段】
【０００６】
　かかる目的を達成するためになされた請求項１に記載の発明は、衣服の裏側に被取付物を取り付けるための取付手段を備えた衣服をその要旨とする。
　したがって、本発明によれば、取付手段を用いて衣服の裏側に被取付物を取り付け、その被取付物が衣服に隠れるようにすることで、被取付物を取り付けたことを衣服の外観からは判別不能にすることができる。また、当該衣服は通常通りに着用することが可能であるため、被取付物を取り付けた状態でも容易に着脱することができる。
【０００７】
　次に、請求項２に記載の発明は、請求項１に記載の衣服において、前記取付手段は、衣服裏側の右肩，左肩，左右両肩のいずれかの肩部分に設けられた第１の取付部材を備えたことをその要旨とする。
【０００８】
　したがって、本発明によれば、衣服裏側の肩部分に設けられた第１の取付部材を用いて被取付物を取り付けることにより、被取付物の重量が衣服の肩部全体に分散されるため、着用者は肩に痛みを感じない。
【０００９】
　次に、請求項３に記載の発明は、請求項１に記載の衣服において、前記取付手段は、衣服裏側の右肩，左肩，左右両肩のいずれかの肩部分に設けられた第１の取付部材と、衣服裏側における前記第１の取付部材に対応する裾部分に設けられた第２の取付部材とを備えたことをその要旨とする。
【００１０】
　したがって、本発明によれば、請求項２に記載の発明の作用および効果に加えて、被取付物が衣服裏側の肩部分と裾部分の両部分で取り付けられるため、被取付物の位置を規定することが可能になり、被取付物が衣服裏側で不用意に移動するのを防ぐことができる。
【００１１】
　次に、請求項４に記載の発明は、請求項１に記載の衣服において、前記取付手段は、衣服裏側の右襟，左襟，左右両襟のいずれかの襟部分に設けられた第１の取付部材を備えたことをその要旨とする。
【００１２】
　したがって、本発明によれば、衣服裏側の襟部分に設けられた第１の取付部材を用いて被取付物を取り付けることにより、被取付物の重量が衣服の襟部全体に分散されるため、着用者の首に痛みを感じない。
【００１３】
　次に、請求項５に記載の発明は、請求項１に記載の衣服において、前記取付手段は、衣服裏側の右襟，左襟，左右両襟のいずれかの襟部分に設けられた第１の取付部材と、衣服裏側における前記第１の取付部材に対応する裾部分に設けられた第２の取付部材とを備えたことをその要旨とする。
【００１４】
　したがって、本発明によれば、請求項４に記載の発明の作用および効果に加えて、被取付物が衣服裏側の襟部分と裾部分の両部分で取り付けられるため、被取付物の位置を規定することが可能になり、被取付物が衣服裏側で不用意に移動するのを防ぐことができる。
【００１５】
　ところで、請求項６に記載の発明のように、請求項２〜５のいずれか一項に記載の衣服において、前記第１の取付部材は、被取付物に設けられた被係止具と係止されることにより被取付物と係止される係止具を備えるようにしてもよい。
【００１６】
　次に、請求項７に記載の発明は、請求項２〜６のいずれか１項に記載の衣服において、前記第１の取付部材は、被取付物の位置を調整するための位置調整手段を備えたことをその要旨とする。
【００１７】
　したがって、本発明によれば、位置調整手段を用いて衣服裏側における被取付物の位置を調整することにより、被取付物をその使用に適した最適な位置に配置することができる。
【００１８】
　ところで、請求項８に記載の発明のように、請求項２または請求項３に記載の衣服において、前記第１の取付部材は、被取付物に設けられたバンドが挿通される第１のバンド通しを備えるようにしてもよい。
【００１９】
　次に、請求項９に記載の発明は、請求項２，３，６〜８のいずれか１項に記載の衣服において、前記第１の取付部材は、衣服の肩部分に設けられた肩当に取り付けられたことをその要旨とする。
【００２０】
　したがって、本発明によれば、第１の取付部材が取り付けられる肩当のクッション性を高めることにより、請求項２に記載の発明の効果をさらに高めることができる。
　次に、請求項１０に記載の発明は、請求項９に記載の衣服において、前記肩当は、衣服の肩部分を補強するための補強布を用いて衣服の肩部分に取り付けられたことをその要旨とする。
【００２１】
　したがって、本発明によれば、補強布により衣服の肩部分が補強されるため、肩当を衣服に確実に取り付けることが可能になり、請求項２に記載の発明の効果をさらに高めることができる。
【００２２】
　次に、請求項１１に記載の発明は、請求項４〜７のいずれか１項に記載の衣服において、前記第１の取付部材は、衣服の襟部分に設けられた首掛バンドに取り付けられたことをその要旨とする。
【００２３】
　したがって、本発明によれば、第１の取付部材が取り付けられる首掛バンドのクッション性を高めることにより、請求項４に記載の発明の効果をさらに高めることができる。
　次に、請求項１２に記載の発明は、請求項１１に記載の衣服において、前記首掛バンドは、衣服の襟部分を補強するための補強布を用いて衣服の襟部分に取り付けられたことをその要旨とする。
【００２４】
　したがって、本発明によれば、補強布により衣服の襟部分が補強されるため、首掛バンドを衣服に確実に取り付けることが可能になり、請求項２に記載の発明の効果をさらに高めることができる。
【００２５】
　ところで、請求項１３に記載の発明のように、請求項３または請求項５に記載の衣服において、前記第２の取付部材は、被取付物に設けられたバンドが潜り掛けられる第２のバンド通しを備えるようにしてもよい。
【００２６】
　なお、以下に述べる発明の実施の形態において、特許請求の範囲または課題を解決するための手段に記載の「取付手段」は固定バンド１６，２０８ａ，２０８ｂ、ホック５ｂ、バンド通し１８，４５、首掛バンド２０６に相当し、同じく「第１の取付部材」は固定バンド１６およびホック５ｂ、バンド通し４５、首掛バンド２０６，固定バンド２０８ａ，２０８ｂ，ホック５ｂから構成され、同じく「第２の取付部材」はバンド通し１８に相当し、同じく「係止具」はホック５ｂに相当し、同じく「第１のバンド通し」はバンド通し４５に相当し、同じく「第２のバンド通し」はバンド通し１８に相当し、同じく「位置調整手段」はアジャスタアタッチメント６ｂに相当し、同じく「被取付物」は肩固定式拳銃入２、肩通し式拳銃入４１、肩固定式警棒入５６、肩通し式警棒入７１、アジャスタアタッチメント付防弾・防刃ベスト８０、マジックテープ付防弾・防刃ベスト９０、固定バンド付防弾・防刃ベスト９５、首掛式拳銃入２０１、首掛式警棒入２０２に相当し、同じく「被係止具」はホック５ａに相当する。
【発明を実施するための最良の形態】
【００２７】
　（第１実施形態）
　以下、本発明を具体化した第１実施形態を図面と共に説明する。
【００２８】
　まず、第１実施形態をブルゾンに適用した例について説明する。図１（ａ）は肩固定式拳銃入２を取り付けた状態のブルゾン１を正面からみた要部透視図である。図１（ｂ）は肩固定式拳銃入２を取り外した状態のブルゾン１を正面からみた要部透視図である。図１（ｃ）はブルゾン１の外観を示す正面図である。
【００２９】
　通常の外観のブルゾン１には携帯品収納具として肩固定式拳銃入２が取り付けられている。肩固定式拳銃入２は、拳銃ホルダ３、吊バンド４、ホック５ａ、アジャスタアタッチメント６ａ、固定バンド７、ボタン８ａ，８ｂ、警笛取付具９から構成されている。吊バンド４は拳銃ホルダ３の上端部から延設され、吊バンド４の途中にはバンド長さ調節用のアジャスタアタッチメント６ａが設けられている。さらに、吊バンド４の自由端部にはブルゾン１本体に係止するためのホック５ａが設けられている。固定バンド７は拳銃ホルダ３の下端部から延設され、固定バンド７の自由端部にはボタン８ａが設けられている。ボタン８ａは、拳銃ホルダ３の下端部に設けられたボタン８ｂへ係止するためのものである。肩固定式拳銃入２の吊バンド４の途中には、合成樹脂性でリング状の警笛取付具９が取り付けられている。警笛取付具９の内径は一般に使用されている警笛よりも小さく作られており、警笛の紐をあらかじめ警笛取付具９の上方から下方へ通して固定バンド７などに結び固定すると、警笛がブルゾン１の内側に落下するのを防ぐことができる。
【００３０】
　図２は、図１（ｃ）に示したブルゾン１本体の左肩部１０の縦断面図である。ブルゾン１本体の左肩部１０は、肩当１１が補強布１２に縫着され、増し芯１３ａおよび表布１３ｂから成る本体布地１４に補強布１２が縫着されることにより成る。さらに、ブルゾン１本体の内側には、肩当１１および補強布１２を覆うように裏地１５が縫着されている。肩当１１および補強布１２には、拳銃を収納した肩固定式拳銃入２を吊すに耐え得る、必要かつ十分な強度を有する布が使用されている。さらに、左肩部１０を構成する各部材１１〜１５は、拳銃を収納した肩固定式拳銃入２を吊すに耐え得る、必要かつ十分な強度にて縫着されている。また、肩当１１は必要かつ十分なクッション性を有し、拳銃を収納した肩固定式拳銃入２を取り付けた場合においても着用者は左肩部に痛みを感じない。
【００３１】
　図１に示すように、ブルゾン１本体には、ホック５ｂ、アジャスタアタッチメント６ｂ、固定バンド１６、バンド固定布１７、バンド通し１８、イヤホン取付具１９が設けられている。
【００３２】
　図３は、吊バンド４と固定バンド１６との係止の状態を示す説明図である。固定バンド１６は肩当１１の端部に縫着され、しかもブルゾン１の着用時に、ブルゾン１の左前身内側における左上胸部側へ現れるように設けられている。固定バンド１６の自由端部には吊バンド４のホック５ａと互いに係止するためのホック５ｂが設けられている。また、固定バンド１６の途中には長さ調整用のアジャスタアタッチメント６ｂが設けられている。固定バンド１６よりも前身側中央寄りの肩当１１の端部には、合成樹脂性でリング状のイヤホン取付具１９が取り付けられている。イヤホン取付具１９の内径は一般に使用されているイヤホンよりも小さく作られており、イヤホンの使用を伴う通信機等を携帯する際、イヤホンのコードをあらかじめイヤホン取付具１９の上方から下方へ通して通信機に接続することにより、イヤホンがブルゾン１の内側へ落下するのを防ぐことができる。
【００３３】
　図４は、左前身裾２０をブルゾン１本体の内側より見た説明図である。ブルゾン１本体の左前身裾２０の内側にはバンド固定布１７が設けられている。バンド固定布１７は裾方向に横長の形状を有する布から成る。また、バンド固定布１７の中央部分には肩固定式拳銃入２の固定バンド７を通して掛けるためのバンド通し１８が設けられ、バンド固定布１７の左右部分は左前身裾２０に縫着されている。また、バンド固定布１７は、拳銃を収納した肩固定式拳銃入２の固定バンド７を通して掛けるに耐え得る、必要かつ十分な強度を有する布が使用されている。さらに、バンド固定布１７は、拳銃を収納した肩固定式拳銃入２の固定バンド７を通して掛けるに耐え得る、必要かつ十分な強度にて縫着されている。
【００３４】
　次に、図１を用いて肩固定式拳銃入２のブルゾン１本体への取付手順を説明する。
　まず、肩固定式拳銃入２の吊バンド４とブルゾン１本体の固定バンド１６とを各ホック５ａ，５ｂにて互いに係止する。次に、肩固定式拳銃入２の固定バンド７をブルゾン１本体のバンド固定布１７に設けたバンド通し１８にくぐらせ、バンド通し１８に掛けた後に、固定バンド７の自由端部と肩固定式拳銃入２とを各ボタン８ａ，８ｂにて互いに係止する。次に、アジャスタアタッチメント６ａにて吊バンド４を適度な長さに調節する。さらに、アジャスタアタッチメント６ｂにて固定バンド１６を適度な長さに調節する。このように、各アジャスタアタッチメント６ａ，６ｂを調節することにより、肩固定式拳銃入２をその使用に適した最適な位置に配置することができる。以上の手順にて肩固定式拳銃入２をブルゾン１本体に取り付けることができる。
【００３５】
　ブルゾン１の着用手順は通常の衣服と同様である。
　ブルゾン１本体のみを着用する場合には、前示した肩固定式拳銃入２のブルゾン１本体への取り付け手順とは逆の手順にて、肩固定式拳銃入２を取り外す。
【００３６】
　本実施形態のブルゾン１によれば、以下の作用および効果を得ることができる。
　（１）ブルゾン１本体への肩固定式拳銃入２の取り付けは容易に行うことができ、そのブルゾン１は通常の衣服と同様に着用すればよい。また、ブルゾン１から肩固定式拳銃入２を取り外す手順は取り付ける手順とは逆の手順をふめばよく、ブルゾン１から肩固定式拳銃入２の取り外しは容易に行うことができる。
【００３７】
　（２）あらかじめブルゾン１本体に肩固定式拳銃入２を取り付けておくことにより、急な外出や業務における緊急出動時においてブルゾン１を着用するのと同時に肩固定式拳銃入２を着用することが可能である。また、ブルゾン１の着用手順は通常のブルゾンと同様である。したがって、肩固定式拳銃入２を取り付けたブルゾン１の着用には時間を要しない。
【００３８】
　（３）肩固定式拳銃入２はブルゾン１本体の左肩部１０に取り付けられるため、ブルゾン１を着用した際に着用者の右肩への負担がなく、着用者は右肩に痛みを感じない。また、肩固定式拳銃入２の重みはブルゾン１本体の左肩部１０全体に分散されるため、着用者の左肩にかかる重みも分散され、着用者は左肩に痛みを感じない。さらに、ブルゾン１本体の左肩部１０には必要かつ十分なクッション性を有する肩当１１が縫着されているため、着用者の左肩が痛むのをより確実に防止することができる。加えて、肩当１１は補強布１２に縫着されているため、補強布１２によりブルゾン１本体の肩部分が補強され、肩固定式拳銃入２をブルゾン１本体に確実に取り付けることができる。
【００３９】
　（４）ブルゾン１本体の各構成部材５ｂ，６ｂ，１１〜１９はブルゾン１本体の裏側に設けられており、ブルゾン１の外観からは当該各構成部材５ｂ，６ｂ，１１〜１９が設けられていることはわからないようになっている。また、ブルゾン１本体に肩固定式拳銃入２を取り付けた状態では、肩固定式拳銃入２の各構成部材３，４，５ａ，６ａ，７，８ａ，８ｂ，９はブルゾン１本体に隠れるようになっている。したがって、ブルゾン１の外観からは肩固定式拳銃入２を取り付けていることがわからない。
【００４０】
　（５）ブルゾン１本体から肩固定式拳銃入２を取り外すことにより、単なるブルゾンとして着用することができる。
　（６）肩固定式拳銃入２は、固定バンド１６によりブルゾン１本体の左肩部１０と係止されるのみならず、固定バンド７にてブルゾン１本体の前身裾部２０と係止される。したがって、肩固定式拳銃入２の位置が規定できる。また、肩固定式拳銃入２が身体の前側において左右へ振れたり、身体の後側へ回り込むのを防止することができる。
【００４１】
　次に、第１実施形態をスーツに適用した例について説明する。なお本例の説明において、図１に示したブルゾン１と同じ構成部材については符号を等しくしてその詳細な説明を省略する。
【００４２】
　図５（ａ）は肩固定式拳銃入２を取り付けた状態のスーツ３０を正面からみた要部透視図である。図５（ｂ）は肩固定式拳銃入２を取り外した状態のスーツ３０を正面からみた要部透視図である。図５（ｃ）はスーツ３０の外観を示す正面図である。
【００４３】
　通常の外観のスーツ３０はブルゾン１の場合と同じく携帯品収納具として肩固定式拳銃入２が取り付けられている。
　スーツ３０において、図１に示したブルゾン１の構成と異なるのは、バンド固定布１７およびバンド通し１８が設けられていない点にある。
【００４４】
　次に、図５を用いてスーツ３０本体への肩固定式拳銃入２の取付手順および着用手順を説明する。
　まず、肩固定式拳銃入２の吊バンド４とスーツ３０本体の固定バンド１６とをホック５ａ，５ｂにて互いに係止することにより、スーツ３０本体に肩固定式拳銃入２を取り付ける。次に、肩固定式拳銃入２を取り付けたスーツ３０を着用する。そして、肩固定式拳銃入２の固定バンド７をスラックス３１に取り付けられたベルト３２にくぐらせ、ベルト３２に掛けた後に、固定バンド７の自由端部と肩固定式拳銃入２とをボタン８ａ，８ｂにて互いに係止する。次に、アジャスタアタッチメント６ａにて吊バンド４を適度な長さに調節する。さらに、アジャスタアタッチメント６ｂにて固定バンド１６を適度な長さに調節する。
【００４５】
　図６は肩固定式拳銃入２を取り付けたスーツ３０の着用状態を示す説明図である。
　スーツ３０本体のみを着用する場合には、前示した肩固定式拳銃入２のスーツ３０本体への取り付け手順とは逆の手順により、肩固定式拳銃入２を取り外す。
【００４６】
　したがって、本例のスーツ３０によれば、ブルゾン１と同様の作用および効果を得ることができる。
　なお、スーツ３０においてブルゾン１と異なり、肩固定式拳銃入２の固定バンド７をスラックス３１のベルト３２に通して掛けるのは以下の理由による。
【００４７】
　（１）スーツ３０本体はブルゾン１と比較して裾丈が長く、裾部はブルゾン１本体のように身体に密着しない。したがって、ブルゾン本体１と同様にスーツ３０本体の裾部にバンド固定布１７を設けて肩固定式拳銃入２の固定バンド７を通して掛けると、重い拳銃を収納した肩固定式拳銃入２が身体の前側で左右に揺れるため位置が規定できない。
【００４８】
　（２）スーツ３０本体の裾部は本体布地１４と裏地１５のみから構成されており、スーツ３０本体の裾部の仕立ての強度はブルゾン１本体の裾部２０の仕立ての強度に比べて低い。したがって、スーツ３０本体の裾部にブルゾン１本体と同様のバンド固定布１７を縫着することは困難である。
【００４９】
　（第２実施形態）
　以下、本発明を具体化した第２実施形態を図面と共に説明する。
　まず、第２実施形態をブルゾンに適用した例について説明する。なお、本第２実施形態において、第１実施形態と同じ構成部材については符号を等しくしてその詳細な説明を省略する。
【００５０】
　図７（ａ）は肩通し式拳銃入４１を取り付けた状態のブルゾン４０を正面からみた要部透視図である。図７（ｂ）は肩通し式拳銃入４１を取り外した状態のブルゾン４０を正面からみた要部透視図である。図７（ｃ）はブルゾン４０の外観を示す正面図である。図８は肩通し式拳銃入４１を取り付けた状態のブルゾン４０を後面からみた要部透視図である。
【００５１】
　通常の外観のブルゾン４０には携帯品収納具として肩通し式拳銃入４１が取り付けられている。肩通し式拳銃入４１は、拳銃ホルダ３、固定バンド７、ボタン８ａ，８ｂ、バックル４２、吊バンド４３ａ，４３ｂから構成されている。吊バンド４３ａ，４３ｂは拳銃ホルダ３の上端部から延設され、吊バンド４３ａの自由端部には係止用および吊バンド４３ａ，４３ｂの長さの調節用として、バックル４２が設けられている。
【００５２】
　図９は、図７（ｃ）に示したブルゾン４０本体の左肩部４４の縦断面図である。ブルゾン４０本体の左肩部４４は、肩当１１がバンド通し４５を挟み補強布１２に縫着され、増し芯１３ａおよび表布１３ｂから成る本体布地１４に補強布１２が縫着されることにより成る。さらに、ブルゾン４０の内側には、肩当１１および補強布１２を覆うように裏地１５が縫着されている。バンド通し４５は、吊バンド４３ｂを通すための筒状の布から成り、左前身側に通し口４６ａ、左後身側に通し口４６ｂが設けられている。
【００５３】
　肩当１１，補強布１２，バンド通し４５には、拳銃を収納した肩通し式拳銃入４１を支えるに耐え得る、必要かつ十分な強度を有する布が使用されている。さらに、左肩部４４を構成する各部材１１〜１５，４５は拳銃を収納した肩通し式拳銃入４１を支えるに耐え得る、必要かつ十分な強度にて縫着されている。また、肩当１１は必要かつ十分なクッション性を有し、拳銃を収納した肩通し式拳銃入４１を支える場合においても、着用者は左肩部に痛みを感じない。
【００５４】
　次に、図７および図８を用いて肩通し式拳銃入４１のブルゾン４０本体への取付手順を説明する。
　まず、肩通し式拳銃入４１の吊バンド４３ｂをブルゾン４０本体の左後身側の通し口４６ｂからバンド通し４５を通して、通し口４６ａから左前身側へ引き出す。そして、バンド通し４５を通した吊バンド４３ｂの自由端部を吊バンド４３ａのバックル４２にて仮止めする。次に、肩通し式拳銃入４１の固定バンド７をブルゾン４０本体のバンド固定布１７に設けたバンド通し１８にくぐらせ、バンド通し１８に掛けた後に、固定バンド７の自由端部と肩通し式拳銃入４１とをボタン８ａ，８ｂにて互いに係止する。さらに、バックル４２にて吊バンド４３ａ，４３ｂの長さを適度に調節する。以上の手順により肩通し式拳銃入４１をブルゾン４０本体に取り付けることができる。
【００５５】
　ブルゾン４０の着用手順は通常の衣服と同様である。
　ブルゾン４０本体のみを着用する場合には、前示した肩通し式拳銃入４１のブルゾン４０本体への取り付け手順とは逆の手順により、肩通し式拳銃入４１を取り外す。
【００５６】
　本実施形態のブルゾン４０によれば、以下の作用および効果を得ることができる。
　（１）ブルゾン４０本体への肩通し式拳銃入４１の取り付けは容易に行うことができ、そのブルゾン４０は通常の衣服と同様に着用すればよい。また、ブルゾン４０本体から肩通し式拳銃入４１を取り外す手順は取り付ける手順とは逆の手順をふめばよく、ブルゾン４０本体から肩通し式拳銃入４１の取り外しは容易に行うことができる。
【００５７】
　（２）あらかじめブルゾン４０本体に肩通し式拳銃入４１を取り付けておくことにより、急な外出や業務における緊急出動時においてブルゾン４０を着用するのと同時に肩通し式拳銃入４１を着用することが可能である。また、ブルゾン４０の着用手順は通常のブルゾンと同様である。したがって、肩通し式拳銃入４１の着用に時間を要しない。
【００５８】
　（３）肩通し式拳銃入４１はブルゾン４０本体の左肩部４４に取り付けられるため、ブルゾン４０を着用した際に着用者の右肩への負担がなく、着用者は右肩に痛みを感じない。また、肩通し式拳銃入４１の重みはブルゾン４０本体の左肩部４４全体に分散されるため、着用者の左肩にかかる重みも分散され、着用者は左肩に痛みを感じない。さらに、ブルゾン４０本体の左肩部４４には必要かつ十分なクッション性を有する肩当１１が縫着されているため、着用者の左肩が痛むのをより確実に防止することができる。加えて、肩当１１は補強布１２に縫着されているため、補強布１２によりブルゾン４０本体の肩部分が補強され、肩通し式拳銃入４１をブルゾン４０本体に確実に取り付けることができる。
【００５９】
　（４）ブルゾン４０本体の各構成部材１１〜１８，４５，４６ａ，４６ｂはブルゾン４０本体の裏側に設けられており、ブルゾン４０の外観からは当該各構成部材１１〜１８，４５，４６ａ，４６ｂが設けられていることはわからないようになっている。また、ブルゾン４０本体に肩通し式拳銃入４１を取り付けた状態において、肩通し式拳銃入４１の各構成部材３，７，８ａ，８ｂ，４２，４３ａ，４３ｂはブルゾン４０本体に隠れるようになっている。したがって、ブルゾン４０の外観からは肩通し式拳銃入４１を取り付けていることがわからない。
【００６０】
　（５）ブルゾン４０本体から肩通し式拳銃入４１を取り外すことにより、単なるブルゾンとして着用することができる。
　（６）肩通し式拳銃入４１は、吊バンド４３ｂがバンド通し４５に通されて、吊バンド４３ｂと吊バンド４３ａとがバックル４２にて互いに係止されるのみならず、固定バンド７にてブルゾン４０本体の前身裾部２０と係止される。したがって、肩通し式拳銃入４１の位置が規定できる。また、肩通し式拳銃入４１が身体の前側において左右へ振れたり、身体の後側へ回り込むのを防止することができる。
【００６１】
　（７）バンド通し４５は筒状の布から成り、左肩部４４に縫着されているためブルゾン４０を着用する際に邪魔にならない。
　次に、第２実施形態をスーツに適用した例について説明する。なお、本例の説明において、図７に示したブルゾン４０と同じ構成部材については符号を等しくしてその詳細な説明を省略する。
【００６２】
　図１０（ａ）は肩通し式拳銃入４１を取り付けた状態のスーツ５０を正面からみた要部透視図である。図１０（ｂ）は肩通し式拳銃入４１を取り外した状態のスーツ５０を正面からみた要部透視図である。図１０（ｃ）はスーツ５０の外観を示す正面図である。
【００６３】
　通常の外観のスーツ５０はブルゾン４０の場合と同じく携帯品収納具として肩通し式拳銃入４１を備えている。
　スーツ５０において、図７に示したブルゾン４０の構成と異なるのは、バンド固定布１７およびバンド通し１８が設けられていない点にある。
【００６４】
　次に、図１０を用いてスーツ５０本体への肩通し式拳銃入４１の取付手順および着用手順を説明する。
　まず、肩通し式拳銃入４１の吊バンド４３ｂをスーツ５０本体の左後身側の通し口４６ｂからバンド通し４５を通して、通し口４６ａから左前身側へ引き出す。そして、バンド通し４５を通した吊バンド４３ｂの自由端部を吊バンド４３ａのバックル４２にて仮止めする。次に、肩通し式拳銃入４１を取り付けたスーツ５０を着用する。そして、肩通し式拳銃入４１の固定バンド７をスラックス３１に取り付けられたベルト３２にくぐらせ、ベルト３２に掛けた後に、固定バンド７の自由端部と肩通し式拳銃入４１とをボタン８ａ，８ｂにて互いに係止する。さらに、バックル４２にて吊バンド４３ａ，４３ｂの長さを適度に調節する。以上の手順により肩通し式拳銃入４１をスーツ５０本体に取り付けることができる。
【００６５】
　図１１は肩通し式拳銃入４１を取り付けたスーツ５０の着用状態を示す説明図である。
　スーツ５０本体のみを着用する場合には、前示した肩通し式拳銃入４１のスーツ５０への取り付け手順とは逆の手順により、肩通し式拳銃入４１を取り外す。
【００６６】
　したがって、本例のスーツ５０によれば、ブルゾン４０と同様の作用および効果を得ることができる。
　次に、第１実施形態と第２実施形態を併用した各変形例について、図１２〜図２４に基づいて説明する。なお各変形例において、第１実施形態および第２実施形態と同じ構成部材については符号を等しくしてその詳細な説明を省略する。
【００６７】
　［第１変形例］
　図１２は第１変形例のブルゾン５５を正面からみた要部透視図である。
　ブルゾン５５本体の左右肩部は図７に示す第２実施形態のブルゾン４０の左肩部４４と同様の構成部材１１〜１５，４５，４６ａ，４６ｂから構成されている。そして、左右肩当１１の前身側中央寄りの端部には図１に示す第１実施形態のブルゾン１と同様の固定バンド１６が設けられ、固定バンド１６の自由端部にはホック５ｂが設けられている。また、ブルゾン５５本体の左右裾部には第１実施形態のブルゾン１と同様のバンド固定布１７が設けられている。ブルゾン５５本体の左前身側には第１実施形態と同様の肩固定式拳銃入２が取り付けられ、さらに右前身側には、一般に特殊警棒と呼ばれる伸縮自在の警棒を収納する肩固定式警棒入５６が取り付けられている。肩固定式警棒入５６は、肩固定式拳銃入２の拳銃ホルダ３を警棒ホルダ５７に置き代えた以外は、肩固定式拳銃入２と同じ構成である。そして、肩固定式警棒入５６の取付手順は肩固定式拳銃入２と同様である。
【００６８】
　したがって、ブルゾン５５によれば、第１実施形態のブルゾン１の作用および効果に加えて、肩固定式警棒入５６を取り付けることができる。肩固定式警棒入５６に係わる作用および効果については、第１実施形態の肩固定式拳銃入２に係わる作用および効果と同様である。そして、ブルゾン５５本体の左右肩部４４にはバンド通し４５が設けられているため、左右前身に肩通し式拳銃入４１と同様の吊バンドを有する携帯品収納具を取り付けることもできる。
【００６９】
　［第２変形例］
　図１３は第２変形例のブルゾン６０を正面からみた要部透視図である。
　ブルゾン６０は、図１２に示した第１変形例のブルゾン５５本体からバンド固定布１７を省略し、図５に示す第１実施形態のスーツ３０と同様に、肩固定式拳銃入２および肩固定式警棒入５６の固定バンド７をスラックス３１に固定したベルト３２に通して掛けるように変更したものである。
【００７０】
　したがって、ブルゾン６０によれば、第１実施形態のスーツ３０と同様の作用および効果を得ることができる。
　なお、第１実施形態のブルゾン１本体に取り付けられる肩固定式拳銃入２についてもブルゾン６０と同様に、固定バンド７をスラックスのベルトに通して掛けることもできる。また、第２実施形態のブルゾン４０本体に取り付けられる肩通し式拳銃入４１についてもブルゾン６０と同様に、固定バンド７をスラックスのベルトに通して掛けることもできる。
【００７１】
　［第３変形例］
　図１４は第３変形例のスーツ６５を正面からみた要部透視図である。
　スーツ６５は、図１３に示した第２変形例のブルゾン６０と同様の構成から成る。
【００７２】
　［第４変形例］
　図１５は第４変形例のブルゾン７０を正面からみた要部透視図である。
　ブルゾン７０本体は、図１２に示した第１変形例のブルゾン５５本体と同様の構成から成る。そして、ブルゾン７０本体の左前身側には第２実施形態と同様の肩通し式拳銃入４１が取り付けられ、さらに右前身側には肩通し式警棒入７１が取り付けられている。肩通し式警棒入７１は、肩通し式拳銃入４１の拳銃ホルダ３を警棒ホルダ５７に置き代えた以外は、肩通し式拳銃入４１と同じ構成である。そして、肩通し式警棒入７１の取付手順は肩通し式拳銃入４１と同様である。
【００７３】
　したがって、ブルゾン７０によれば、第２実施形態のブルゾン４０の作用および効果に加えて、肩通し式警棒入７１を取り付けることができる。肩通し式警棒入７１の作用および効果については、第２実施形態の肩通し式拳銃入４１に係わる作用および効果と同様である。そして、ブルゾン７０本体の左右肩部にはホック５ｂを持つ固定バンド１６が設けられているため、左右前身に肩固定式拳銃入２や肩固定式警棒入５６と同様のホック５ａを備えた携帯品収納具を取り付けることができる。
【００７４】
　［第５変形例］
　図１６は第５変形例のブルゾン７５を正面からみた要部透視図である。
　ブルゾン７５は、図１５に示した第４変形例のブルゾン７０本体からバンド固定布１７を省略し、図５に示す第１実施形態のスーツ３０と同様に、肩通し式拳銃入４１および肩通し式警棒入７１の固定バンド７をスラックス３１に固定したベルト３２に通して掛けるように変更したものである。
【００７５】
　したがって、ブルゾン７５によれば、第１実施形態のスーツ３０と同様の作用および効果を得ることができる。
　［第６変形例］
　図１７は第６変形例のスーツ７６を正面からみた要部透視図である。
【００７６】
　スーツ７６は、図１６に示した第５変形例のブルゾン７５と同様の構成から成る。
　［第７変形例］
　図１８（ａ）は第７変形例のブルゾン７７を正面からみた要部透視図である。図１８（ｂ）はブルゾン７７を後面からみた要部透視図である。
【００７７】
　ブルゾン７７本体は図１５に示した第４変形例のブルゾン７０本体を変形したものであり、左右肩部４４における肩当１１の後身側中央寄りには、前身側中央寄りと同様に固定バンド１６が設けられている。そして、ブルゾン７７には携帯品収納具に代えて被取付物としてアジャスタアタッチメント付防弾・防刃ベスト８０が取り付けられている。
【００７８】
　図１９は防弾・防刃ベスト８０の表側を示す説明図である。防弾・防刃ベスト８０の左右前身８１ａ，８１ｂは、防弾・防刃機能を有する防弾・防刃布から形成されており、ボタン８５ａ，８５ｂにて互いに係止するようになっている。左右前身８１ａ，８１ｂは通気性のよいメッシュ布から成る後身８２と互いに縫合されている。また、左右前身８１ａ，８１ｂの両脇下の裾に近い部分にはアジャスタアタッチメント８３を設けた調節ベルト８４が縫着され、当該調節ベルト８４により防弾・防刃ベスト８０を身体の胴回りに密着させることができる。そして、防弾・防刃ベスト８０には肩部が設けられておらず、左右前身８１ａ，８１ｂおよび後身８２の上端部にホック５ａが設けられている。
【００７９】
　防弾・防刃ベスト８０のブルゾン７７本体への取り付けは、防弾・防刃ベスト８０のホック５ａとブルゾン７７本体のホック５ｂとを互いに係止することにより行う。また、防弾・防刃ベスト８０を取り付けたブルゾン７７の着用手順は通常のブルゾンと同様である。
【００８０】
　図２０は、ブルゾン７７に対して、肩通し式拳銃入４１、肩通し式警棒入７１、防弾・防刃ベスト８０を同時に取り付けた状態を示す説明図である。図２０（ａ）はその状態のブルゾン７７を正面からみた要部透視図である。図２０（ｂ）はその状態のブルゾン７７を後面からみた要部透視図である。
【００８１】
　ところで、図２１に示すように、防弾・防刃ベスト８０をマジックテープ付防弾・防刃ベスト９０に置き代えてもよい。
　図２２はマジックテープ付防弾・防刃ベスト９０の表側を示す説明図である。防弾・防刃ベスト９０の前身８１は、左右側に表面がパイル状の雌側マジックテープ９１ａを縫着した防弾・防刃布から形成され、後身８２は表面にフック状の複数の突起が設けられた雄側マジックテープ９１ｂを両側に延設したメッシュ布から形成されている。前身８１と後身８２とはマジックテープ９１ａ，９１ｂにて互いに係止でき、マジックテープ９１ａ，９１ｂの長さを調節することにより防弾・防刃ベスト９０を身体の胴回りに密着させることができる。また、前身８１および後身８２の上端部にはホック５ａが設けられている。
【００８２】
　［第８変形例］
　図２３（ａ）は第８変形例のスーツ９４を正面からみた要部透視図である。図２３（ｂ）はスーツ９４を後面からみた要部透視図である。
【００８３】
　スーツ９５本体は図１４に示した第３変形例のスーツ６５を変形したものであり、図１８に示す第７変形例のブルゾン７７と同様に左右肩部４４における肩当１１の後身側中央寄りには、前身側中央寄りと同様に固定バンド１６が設けられている。そして、スーツ９４には携帯品収納具に代えて被取付物として固定バンド付防弾・防刃ベスト９５が取り付けられている。
【００８４】
　図２４（ａ）は固定バンド付防弾・防刃ベスト９５の表側を示す説明図である。図２４（ｂ）は固定バンド付防弾・防刃ベスト９５の前身８１ａ，８１ｂと後身８２とを互いに係止した状態を示す斜視図である。
【００８５】
　固定バンド付防弾・防刃ベスト９５において、図２２に示したマジックテープ付防弾・防刃ベスト９０と異なるのは、前身が左右前身８１ａ，８１ｂに分けられている点と、左右前身８１ａ，８１ｂの下端部に２本の固定バンド９６および２個のボタン９７ｂが設けられている点にある。固定バンド９６の自由端部にはボタン９７ａが設けられ、左右前身８１ａ，８１ｂの下端部に設けられたボタン９７ｂにて互いに係止できる。また、左右前身８１ａ，８１ｂおよび後身８２の上端部にはホック５ａが設けられている。
【００８６】
　防弾・防刃ベスト９５のスーツ９４本体への取り付けは、防弾・防刃ベスト９５のホック５ａとスーツ９４本体のホック５ｂとを互いに係止することにより行う。さらに、スーツ９４着用後に防弾・防刃ベスト９５の固定バンド９６をスラックス３１に取り付けられたベルト３２にくぐらせ、ベルト３２に掛けた後に、固定バンド９６の自由端部と防弾・防刃ベスト９５とをボタン９７ａ，９７ｂにて互いに係止する。
【００８７】
　したがって、スーツ９４によれば第７変形例のブルゾン７７と同様の作用および効果を得ることができる。また、防弾・防刃ベスト９５の固定バンド９６は、スラックス３１に取り付けたベルト３２に固定させるため、防弾・防刃ベスト９５の位置が規定でき、防弾・防刃ベスト９５が身体の前側で左右に振れるのを防止できる。
【００８８】
　ところで、防弾・防刃ベスト９５は、第７変形例のブルゾン７７本体にも取り付けることができる。また、第７変形例で示したアジャスタアタッチメント付防弾・防刃ベスト８０、マジックテープ付防弾・防刃ベスト９０をスーツ９４本体に取り付けることもできる。
【００８９】
　（第３実施形態）
　以下、本発明を具体化した第３実施形態を図面と共に説明する。
　なお、本第３実施形態において、第１実施形態、第２実施形態、第１〜第８変形例と同じ構成部材については符号を等しくしてその詳細な説明を省略する。
【００９０】
　図２５は第３実施形態のスーツ２００を正面からみた要部透視図である。図２６はスーツ２００を後面からみた要部透視図である。
　スーツ２００の左前身側には首掛式拳銃入２０１が取り付けられ、右前身側には首掛式警棒入２０２が取り付けられている。首掛式拳銃入２０１は、拳銃ホルダ３、固定バンド７、ボタン８ａ，８ｂ、吊バンド２０３ａ，２０３ｂ、アジャスタアタッチメント２０４から構成されている。各吊バンド２０３ａ，２０３ｂは拳銃ホルダ３の上端部から延設されている。また、各吊バンド２０３ａ，２０３ｂの途中には長さ調節用のアジャスタアタッチメント２０４が設けられている。さらに、吊バンド２０３ａの途中には警笛取付具９が設けられている。そして、各吊バンド２０３ａ，２０３ｂの自由端部にはスーツ２００本体に係止するためのホック５ａが設けられている。首掛式警棒入２０２は、首掛式拳銃入２０１の拳銃ホルダ３を警棒ホルダ５７に置き代えた以外は、首掛式拳銃入２０１と同じ構成である。
【００９１】
　スーツ２００本体には、首掛式拳銃入２０１および首掛式警棒入２０２を取り付けるための首掛バンド２０６が設けられている。首掛バンド２０６は、襟部２０５において襟周りを囲むように設けられ、首掛バンド２０６の首側の面は補強布１２（図示略）に縫着され、首側の反対の面は増し芯１３ｂ（図示略）に縫着されている。そして、首掛バンド２０６の両端にはそれぞれ固定バンド２０８ａが縫着されている。また、固定バンド２０８ａは、スーツ２００の着用時に左右前身内側における上胸部側へ現れるように設けられている。さらに、首掛バンド２０６にはイヤホン取付具１９が取り付けられている。また、首掛バンド２０６における襟部２０５の後側左右部分にはそれぞれ固定バンド２０８ｂが縫着されている。そして、固定バンド２０８ｂは、スーツ２００の着用時に左右後身内側における上背部側へ現れるように設けられている。また、各固定バンド２０８ａ，２０８ｂの自由端部には各吊バンド２０３ａ，２０３ｂのホック５ａと互いに係止するためのホック５ｂが設けられている。
【００９２】
　首掛バンド２０６には、拳銃を収納した首掛式拳銃入２０１および警棒を収納した首掛式警棒入２０２を吊すに耐え得る、必要かつ十分な強度を有する布が使用されている。さらに、首掛バンド２０６には、必要かつ十分なクッション性を有する布が使用され、拳銃を収納した首掛式拳銃入２０１および警棒を収納した首掛式警棒入２０２を取り付けた場合においても着用者は首に痛みを感じない。
【００９３】
　次に、図２５および図２６を用いてスーツ２００本体への首掛式拳銃入２０１および首掛式警棒入２０２の取付手順および着用手順を説明する。
　まず、首掛式拳銃入２０１の吊バンド２０３ａとスーツ２００本体の左前身側の固定バンド２０８ａとを各ホック５ａ，５ｂにて互いに係止する。そして、首掛式拳銃入２０１の吊バンド２０３ｂとスーツ２００本体の左後身側の固定バンド２０８ｂとを各ホック５ａ，５ｂにて互いに係止する。以上により首掛式拳銃入２０１をスーツ２００本体の左前身側に取り付ける。さらに、首掛式拳銃入２０１と同様の手順にて首掛式警棒入２０２をスーツ２００本体の右前身側に取り付ける。
【００９４】
　次に、首掛式拳銃入２０１および首掛式警棒入２０２を取り付けたスーツ２００を着用する。そして、首掛式拳銃入２０１の固定バンド７をスラックス３１に取り付けられたベルト３２にくぐらせ、ベルト３２に掛けた後に、固定バンド７の自由端部と首掛式拳銃入２０１とを各ボタン８ａ，８ｂにて互いに係止する。以上により首掛式拳銃入２０１をベルト３２に固定する。さらに、同様の手順にて首掛式警棒入２０２をスラックス３１のベルト３２に固定する。次に、アジャスタアタッチメント２０４にて各吊バンド２０３ａ，２０３ｂを適度な長さに調節する。
【００９５】
　スーツ２００本体のみを着用する場合には、前記した首掛式拳銃入２０１および首掛式警棒入２０２のスーツ２００への取り付け手順とは逆の手順により、首掛式拳銃入２０１および首掛式警棒入２０２を取り外す。
【００９６】
　したがって、本実施形態のスーツ２００によれば、首掛式拳銃入２０１および首掛式警棒入２０２の重みは首掛バンド２０６によってスーツ２００本体の襟部２０５全体に分散されるため、着用者の首にかかる重みも分散され、着用者は首に痛みを感じない。また、首掛式拳銃入２０１または首掛式警棒入２０２のいずれか一方のみをスーツ２００本体に取り付けた場合に、襟部２０５の左右いずれか一方に重みが加わったとしても、首掛バンド２０６によって襟部２０５全体に重みが分散されるため、着用者は重みが加わった側の首に痛みを感じない。さらに、首掛式拳銃入２０１および首掛式警棒入２０２を取り付けるための首掛バンド２０６には必要かつ十分なクッション性を有する布が使用されているため、着用者の首が痛むのをより確実に防止することができる。加えて、首掛バンド２０６は補強布１２に縫着されているため、補強布１２によりスーツ２００本体の襟が補強され、首掛式拳銃入２０１および首掛式警棒入２０２をスーツ２００本体に確実に取り付けることができる。
【００９７】
　なお、スーツ２００に係わるその他の作用および効果については、第１実施形態におけるスーツ３０に係わる作用および効果と同様である。
　次に、第３実施形態の一部を変更した変形例について、図２７および図２８を用いて説明する。なお、本変形例において、第１〜第３実施形態、第１〜第８変形例と同じ構成部材については符号を等しくしてその詳細な説明を省略する。
【００９８】
　図２７は、本変形例のスーツ２１０を正面からみた要部透視図である。図２８はスーツ２１０を後面からみた要部透視図である。
　スーツ２１０本体において、図２５および図２６に示したスーツ２００本体と異なるのは、スーツ２１０本体の左右肩部が図５に示した第１実施形態のスーツ３０の左肩部１０と同様の構成部材５ｂ，６ｂ，１１〜１６から構成されている点と、ホック５ｂを備えた固定バンド１６がスーツ２１０本体の左右前身側および左右後身側の肩部に設けられている点とにある。したがって、スーツ２１０本体は、ホック５ａを備えた被取付物（例えば、肩固定式拳銃入２、肩固定式警棒入５６、アジャスタアタッチメント付防弾・防刃ベスト８０など）を取り付けることができる。さらに、スーツ２１０本体には、ホック５ｂを備えた固定バンド２０８ａ，２０８ｂが設けられているため、図２７および図２８に示すように、首掛式拳銃入２０１、首掛式警棒入２０２、アジャスタアタッチメント付防弾・防刃ベストを同時に取り付けることができる。
【００９９】
　したがって、スーツ２１０によれば、第３実施形態のスーツ２００と同様の作用および効果に加えて、第１実施形態のスーツ３０と同様の作用および効果を得ることができる。
　なお、防弾・防刃ベスト８０は、図２２に示したマジックテープ付防弾・防刃ベスト９０や図２４に示した固定バンド付防弾・防刃ベスト９５に代えてもよい。
【０１００】
　ところで、第３実施形態と第２実施形態を併用してもよく、第３実施形態と第８変形例を併用してもよい。さらに、第３実施形態は、第１，第２実施形態と同様にスーツに限らずブルゾンに適用してもよい。その場合は、図１または図７に示すように、首掛バンド２０６の各固定バンド２０８ａ，２０８ｂに対応する裾部分にバンド固定布およびバンド通し１８を設けるようにすればよい。
【０１０１】
　なお、本発明は上記各実施形態に限定されるものではなく、以下のように変更してもよく、その場合でも、上記各実施形態と同様の作用および効果を得ることができる。
　（１）肩固定式拳銃入２および肩固定式警棒入５６と固定バンド１６とを互いに係止するには、ホック５ａ，５ｂのみならず、十分な強度を備えた適宜な係止具（例えば、ボタン、スナップ、係止金具など）を用いてもよい。
【０１０２】
　（２）拳銃ホルダ３および警棒ホルダ５７と固定バンド７とを互いに係止するには、ボタン８ａ，８ｂのみならず、十分な強度を備えた適宜な係止具（例えば、ホック、スナップ、係止金具など）を用いてもよい。
【０１０３】
　（３）警笛取付具９およびイヤホン取付具１９は合成樹脂に限らず、十分な強度を備えた適宜な材料（例えば、金属、皮革など）で形成してもよい。また、警笛取付具９およびイヤホン取付具１９の形状はリング状に限らず、紐を挿通可能でかつ警笛およびイヤホンを係止可能であれば、どのような形状（例えば、楕円形状、多角形状など）にしてもよい。
【０１０４】
　（４）警笛取付具９は、肩固定式拳銃入２の吊バンド４および首掛式拳銃入２０１の吊バンド２０３ａの途中に設けるだけでなく、肩固定式拳銃入２および首掛式拳銃入２０１を構成する各構成部材３，５ａ，６ａ，７，２０３ｂ，２０４などに設けてもよい。また、警笛取付具９は、肩固定式拳銃入２に限らず、肩固定式警棒入５６、肩通し式拳銃入４１、肩通し式警棒入７１、アジャスタアタッチメント付防弾・防刃ベスト８０、マジックテープ付防弾・防刃ベスト９０、固定バンド付防弾・防刃ベスト９５、首掛式拳銃入２０１、首掛式警棒入２０２を構成する構成部材４２，４３ａ，４３ｂ，５７，８１，８１ａ，８１ｂ，８３，８４，９１ａ，９１ｂ，９６，２０３ａ，２０３ｂ，２０４などに設けてもよい。また、警笛取付具９は、肩固定式拳銃入２、肩固定式警棒入５６、肩通し式拳銃入４１、肩通し式警棒入７１、アジャスタアタッチメント付防弾・防刃ベスト８０、マジックテープ付防弾・防刃ベスト９０、固定バンド付防弾・防刃ベスト９５、首掛式拳銃入２０１、首掛式警棒入２０２以外の被取付物に設けてもよい。また、警笛取付具９は、ブルゾン１またはスーツ２００，２１０に限らず、ブルゾン４０，５５，６０，７０，７５，７７またはスーツ３０，５０，６５，７６，９４，２００，２１０を構成する構成部材５ｂ，６ｂ，１０〜１６，４５，２０６，２０７，２０８ａ，２０８ｂなどに設けてもよい。
【０１０５】
　（５）イヤホン取付具１９はブルゾン１本体の固定バンド１６およびスーツ２００，２１０の固定バンド２０８ａの端部に設けるだけでなく、ブルゾン１またはスーツ２００，２１０を構成する構成部材５ｂ，６ｂ，１１〜１５，２０６，２０７などに設けてもよい。また、イヤホン取付具１９は、ブルゾン１またはスーツ２００，２１０に限らず、ブルゾン４０，５５，６０，７０，７５，７７またはスーツ３０，５０，６５，７６，９４，２００，２１０を構成する構成部材５ｂ，６ｂ，１１〜１６，４５，２０６，２０７，２０８ａ，２０８ｂなどに設けてもよい。
【０１０６】
　（６）肩通し式拳銃入４１および肩通し式警棒入７１において、吊バンド４３ａ，４３ｂを互いに係止して長さを調節するには、バックル４２のみならず、互いに係止可能でかつ長さ調節可能であればどのような装具（例えば、アジャスタアタッチメント、マジックテープなど）を用いてもよい。
【０１０７】
　（７）上記した携帯品収納具（肩固定式拳銃入２、肩固定式警棒入５６、肩通し式拳銃入４１、肩通し式警棒入７１、首掛式拳銃入２０１、首掛式警棒入２０２）は、どのような携帯品（例えば、携帯電話、ポケットベル、手帳、筆記用具、化粧品、パスポートなど）を収納する収納具に置き代えてもよい。また、比較的軽い携帯品を収納する場合は、各スーツ３０，５０，６５，７５，７６，９４，２００，２１０本体においても図１に示したブルゾン１本体と同様に、バンド固定布１７を腰部に設けて携帯品収納具を取り付けるようにしてもよい。また、各ベスト（アジャスタアタッチメント付防弾・防刃ベスト８０、マジックテープ付防弾・防刃ベスト９０、固定バンド付防弾・防刃ベスト９５）は、ホック５ａが設けられた防寒用ライナーに置き代えてもよい。
【０１０８】
　（８）バンド通し１８を適宜な係止具（例えば、ホック、ボタン、スナップ、係止金具など）に置き代えると共に、上記した携帯品収納具（肩固定式拳銃入２、肩固定式警棒入５６、肩通し式拳銃入４１、肩通し式警棒入７１、首掛式拳銃入２０１、首掛式警棒入２０２）に当該係止具と係止される被係止具を設けるようにしてもよい。但し、バンド通し１８はバンド固定布１７から成るため衣服の裾部分に設けられていても邪魔にならないのに対し、係止具を衣服の裾部分に設けた場合には邪魔になるおそれがある。
【０１０９】
　（９）首掛式拳銃入２０１および首掛式警棒入２０２と固定バンド２０８ａ，２０８ｂとを互いに係止するには、ホック５ａ，５ｂのみならず、十分な強度を備えた適宜な係止具（例えば、ボタン、スナップ、係止金具など）を用いてもよい。
【０１１０】
　（１０）スーツ２００において首掛バンド２０６をスーツ２００本体の襟部２０５に縫着するのではなく首掛バンド２０６をスーツ２００から着脱可能にしてもよい。例えば、表面がパイル状の雌側マジックテープ（または表面に複数のフック状の突起を設けた雄型マジックテープ）をスーツ２００本体の襟部２０５に縫着し、雄側（または雌側）マジックテープを首掛バンド２０６に設け、両マジックテープにより首掛バンド２０６をスーツ２００へ着脱可能に係止するようにしてもよい。また、首掛バンド２０６と襟部２０５とを着脱可能に係止するには、マジックテープのみならず、十分な強度を備えた適宜な係止具（例えば、ボタン、ホック、スナップ、ファスナ、係止金具など）を用いてもよい。
【図面の簡単な説明】
【０１１１】
【図１】第１実施形態のブルゾンを説明するための説明図。
【図２】第１実施形態におけるブルゾン本体の左肩部の構造を説明するための縦断面図。
【図３】第１実施形態における肩固定式拳銃入の吊バンドとブルゾン本体の固定バンドとの係止の状態を説明するための説明図。
【図４】第１実施形態におけるブルゾンの左前裾と固定バンドの関係を説明するためのブルゾンの内側からみた説明図。
【図５】第１実施形態のスーツを説明するための説明図。
【図６】第１実施形態のスーツを着用した状態を説明するための説明図。
【図７】第２実施形態のブルゾンを説明するための説明図。
【図８】第２実施形態のブルゾンを後面からみた要部透視図。
【図９】第２実施形態におけるブルゾン本体の左肩部の構造を説明するための縦断面図。
【図１０】第２実施形態のスーツを説明するための説明図。
【図１１】第２実施形態のスーツを着用した状態を説明するための説明図。
【図１２】第１変形例のブルゾンを正面からみた要部透視図。
【図１３】第２変形例のブルゾンを正面からみた要部透視図。
【図１４】第３変形例のスーツを正面からみた要部透視図。
【図１５】第４変形例のブルゾンを正面からみた要部透視図。
【図１６】第５変形例のブルゾンを正面からみた要部透視図。
【図１７】第６変形例のスーツを正面からみた要部透視図。
【図１８】第７変形例のブルゾンを説明するための説明図。
【図１９】第７変形例におけるアジャスタアタッチメント付防弾・防刃ベストの表側を説明するための説明図。
【図２０】第７変形例において肩通し式拳銃入、肩通し式警棒入、アジャスタアタッチメント付防弾・防刃ベストを同時に取り付けた状態のブルゾンを説明するための説明図。
【図２１】第７変形例のブルゾンを説明するための説明図。
【図２２】第７変形例におけるマジックテープ付防弾・防刃ベストの表側を説明するための説明図。
【図２３】第８変形例のスーツを説明するための説明図。
【図２４】第８変形例における固定バンド付防弾・防刃ベストを説明するための説明図。
【図２５】第３実施形態のスーツを正面からみた説明図
【図２６】第３実施形態のスーツを後面からみた説明図
【図２７】第３実施形態の変形例のスーツを正面からみた説明図。
【図２８】第３実施形態の変形例のスーツを後面からみた説明図。
【図２９】従来の肩掛式拳銃入を着用した様子を説明するための説明図。
【符号の説明】
【０１１２】
　　４，４３ａ，４３ｂ，２０３ａ，２０３ｂ…吊バンド
　　５ａ，５ｂ…ホック　
　　６ｂ…アジャスタアタッチメント
　　７，１６，９６，２０８ａ，２０８ｂ…固定バンド
　　１０，４４…肩部　　１１…肩当　　１２…補強布　　１７…バンド固定布
　　１８，４５…バンド通し　　２０…裾部　　２，４１，２０１…拳銃入　
　　５６，７１，２０２…警棒入　　８０，９０，９５…防弾・防刃ベスト
　　２０５…襟部　　２０６…首掛バンド　　２０７…襟
　 
【図１】
2004068245.tif 000003
【図２】
2004068245.tif 000004
【図３】
2004068245.tif 000005
【図４】
2004068245.tif 000006
【図５】
2004068245.tif 000007
【図６】
2004068245.tif 000008
【図７】
2004068245.tif 000009
【図８】
2004068245.tif 000010
【図９】
2004068245.tif 000011
【図１０】
2004068245.tif 000012
【図１１】
2004068245.tif 000013
【図１２】
2004068245.tif 000014
【図１３】
2004068245.tif 000015
【図１４】
2004068245.tif 000016
【図１５】
2004068245.tif 000017
【図１６】
2004068245.tif 000018
【図１７】
2004068245.tif 000019
【図１８】
2004068245.tif 000020
【図１９】
2004068245.tif 000021
【図２０】
2004068245.tif 000022
【図２１】
2004068245.tif 000023
【図２２】
2004068245.tif 000024
【図２３】
2004068245.tif 000025
【図２４】
2004068245.tif 000026
【図２５】
2004068245.tif 000027
【図２６】
2004068245.tif 000028
【図２７】
2004068245.tif 000029
【図２８】
2004068245.tif 000030
【図２９】
2004068245.tif 000031